(57)【特許請求の範囲】
【請求項１】
ダイスユニットを動作させてダイスを所定位置のワークに対してセットした後、パンチユニットを動作させてパンチで穿孔する穿孔装置であって、
シリンダと、
一体に構成されたパンチガイドとダイスガイドを有し、前記シリンダにより押されて前進し／引かれて後退する可動部材と、
回動自在に装置本体に軸支され、前記ダイスガイドの前進に伴い該ダイスガイドに押されて回動することによりワーク保持位置にダイスをセットし、前記ダイスガイドの後退に伴い該ダイスガイドに引き戻されて反対方向へ回動することにより前記ワーク保持位置からダイスをリセットするダイスユニットと、
進退自在に装置本体に支持され、前記パンチガイドの前進に伴い該パンチガイドに押されて前進して先端部に保持する前記パンチで前記所定位置のワークを穿孔し、前記パンチガイドの後退に伴い該パンチガイドに引かれて後退して前記パンチを穿孔位置から退避させるパンチユニットと、
を有することを特徴とする穿孔装置。
【請求項２】
請求項１に於いて、
前記ダイスガイドは前端部上面中央に突起部を有し、
前記ダイスユニットは下面中央に前記ダイスガイドの前進／後退時に前記突起部を通過させる溝部を有するとともに、該溝部の後端に前記突起部と係止する係止部を有する、
ことを特徴とする穿孔装置。
【発明の詳細な説明】
【技術分野】
【０００１】
本発明は、ダイスユニットを動作させてダイスを所定位置のワークに対してセットした後、パンチユニットを動作させてパンチで穿孔する穿孔装置に関する。
【背景技術】
【０００２】
ドアフレーム等の金属板（ワーク）に穿孔する場合には、ワークを所定位置の型（曲型等）にセットした後、（１）ダイス用シリンダによりダイスユニットを動作させてその所定部位に保持しているダイスを曲型とワークに対してセットし、次に、（２）パンチ用シリンダによりパンチを突き出して穿孔している。また、穿孔後は、（３）パンチ用シリンダによりパンチをワークから退避させた後、（４）ダイス用シリンダによりダイスユニットを反対方向へ動作させてダイスをワークから退避させている。
なお、別個のユニットを別個の駆動源で駆動することには発明性が無いため、この技術に該当する公報（特許文献等）は見出せなかった。
【発明の開示】
【発明が解決しようとする課題】
【０００３】
従来の穿孔装置は、ダイスユニットを動作させるためのシリンダと、パンチを突き出す動作のためのシリンダとを有し、各シリンダの動作タイミングを個別に制御する必要があった。このため、装置構成が大型化してコスト高となるばかりでなく、一回の穿孔動作に要する時間も長時間化するため、生産性が悪いという問題もあった。
本発明は、シリンダを一つで構成できるようにすることを目的とする。また、これにより、装置構成を小型化・省スペース化してコストを低減するとともに、１回の穿孔動作の所要時間を短縮して生産性を改善することを目的とする。
【課題を解決するための手段】
【０００４】
本発明は、下記［１］〜［２］のように構成される。なお、下記で付した符号は理解を容易にするためであり、本発明を符号が示す構成に限定する趣旨ではない。
［１］構成１：
ダイスユニット３０を動作させてダイス３５を所定位置のワーク９５に対してセットした後、パンチユニット４０を動作させてパンチ５０で穿孔する穿孔装置であって、
シリンダ１０と、
一体に構成されたパンチガイド２１とダイスガイド２２を有し、前記シリンダ１０により押されて前進し／引かれて後退する可動部材と、
回動自在に装置本体に軸支され、前記ダイスガイド２２の前進に伴い該ダイスガイド２２に押されて回動することによりワーク保持位置にダイス３５をセットし、前記ダイスガイド２２の後退に伴い該ダイスガイド２２に引き戻されて反対方向へ回動することにより前記ワーク保持位置からダイス３５をリセットするダイスユニット３０と、
進退自在に装置本体に支持され、前記パンチガイド２１の前進に伴い該パンチガイド２１に押されて前進して先端部に保持する前記パンチ５０で前記所定位置のワーク９５を穿孔し、前記パンチガイド２１の後退に伴い該パンチガイド２１に引かれて後退して前記パンチ５０を穿孔位置から退避させるパンチユニット４０と、
を有することを特徴とする穿孔装置。
［２］構成２：
構成１に於いて、
前記ダイスガイド２２は前端部上面中央に突起部２２ｂを有し、
前記ダイスユニット３０は下面中央に前記ダイスガイド２２の前進／後退時に前記突起部２２ｂを通過させる溝部を有するとともに、該溝部の後端に前記突起部２２ｂと係止する係止部３０ｂを有する、
ことを特徴とする穿孔装置。
【発明の効果】
【０００５】
本発明は、ダイスユニット３０を動作させてダイス３５を所定位置のワーク９５に対してセットした後、パンチユニット４０を動作させてパンチ５０で穿孔する穿孔装置であって、シリンダ１０と、一体に構成されたパンチガイド２１とダイスガイド２２を有し、前記シリンダ１０により押されて前進し／引かれて後退する可動部材と、回動自在に装置本体に軸支され、前記ダイスガイド２２の前進に伴い該ダイスガイド２２に押されて回動することによりワーク保持位置にダイス３５をセットし、前記ダイスガイド２２の後退に伴い該ダイスガイド２２に引き戻されて反対方向へ回動することにより前記ワーク保持位置からダイス３５をリセットするダイスユニット３０と、進退自在に装置本体に支持され、前記パンチガイド２１の前進に伴い該パンチガイド２１に押されて前進して先端部に保持する前記パンチ５０で前記所定位置のワーク９５を穿孔し、前記パンチガイド２１の後退に伴い該パンチガイド２１に引かれて後退して前記パンチ５０を穿孔位置から退避させるパンチユニット４０と、を有することを特徴とする穿孔装置であるため、単一のシリンダ１０の動作によりダイス３５を所定位置にセットした後にパンチ５０を動作させてワーク９５を穿孔し、その後、同じシリンダ１０によりパンチ５０を退避させるとともに、ダイス３５を退避させることができる。このため、装置構成を小型化・低コスト化できる。また、穿孔動作一回当たりの所要時間も短縮でき、生産性を向上させることができる。
構成２は、ダイスガイド２２の後退に伴いダイスユニット３０を反対方向へ回動させる機能を実現する機構の具体的な一例を与えることができる。
【発明を実施するための最良の形態】
【０００６】
図面を参照して説明する。
図１は本穿孔装置の初期状態の構成を示す模式図、図２（ａ）は図１の穿孔装置に於いてダイスユニット３０を起こした状態を模式的に示す説明図、（ｂ）は（ａ）内矢視Ｂ図である。図３は図１の穿孔装置に於いてパンチユニット４０を押し始める状態を模式的に示す説明図、図４は図１の穿孔装置に於いてワーク９５を穿孔した状態を模式的に示す説明図、図５は図１の穿孔装置に於いてワーク９５を穿孔したパンチユニット４０の退避開始時点を模式的に示す説明図、図６は図１の穿孔装置に於いてダイスユニット３０を倒し始める時点を模式的に示す説明図である。
本穿孔装置は、シリンダ１０と、パンチガイド２１と、ダイスガイド２２と、ダイスユニット３０と、パンチユニット４０と、パンチ５０と、曲型９１，９２とを有する。
以下、図１、図２（ａ）、図３〜図６での左方を前方とし、右方を後方として、説明する。
【０００７】
シリンダ１０のシリンダロッド１１の先端にパンチガイド２１が一体に取り付けられており、該パンチガイド２１にダイスガイド２２が一体に取り付けられている。また、パンチガイド２１とダイスガイド２２とは、装置本体（不図示）によって、両ガイドが一体として前進／後退可能なように支持されている。言い換えれば、シリンダ１０の動作に応じて、パンチガイド２１とダイスガイド２２とが一体として前進／後退可能なように、支持されている。
【０００８】
ダイスガイド２２の前端面２２ａは、前進時にダイスユニット３０の下部後端面（第１係止部）３０ａを押して、ダイスユニット３０を回転させるように機能する。
ダイスガイド２２の前端部上面側中央には、後退時にダイスユニット３０後端側の円弧状部の下面側端部に形成された切欠部（第２係止部３０ｂ）を引っ掛けて後退させるための突起（係止部）２２ｂが形成されている。
【０００９】
ダイスユニット３０は、装置本体（不図示）に支持された支軸３１により、回動自在に支持されている。このダイスユニット３０の上部後端面側には、ダイス３５が取り付けられている。このダイス３５は、ダイスユニット３０がダイスガイド２２に押されて時計回り（図を基準とする）に回動することにより、ワーク９５の位置に位置決めされて、曲型９１，９２とともにワーク９５を固定する。なお、ワーク９５は、予め、曲型９１，９２に取り付けられているものとする。
【００１０】
パンチガイド２１の上部には、パンチ５０と同軸の貫通孔２１ａが形成されている。この貫通孔２１ａにパンチ５０の軸５０ｂが挿通されており、該パンチ５０の軸５０ｂの後端部にパンチ５０の後端係止部５０ａが一体に取り付けられている。この後端係止部５０ａは、パンチガイド２１の後退時に該パンチガイド２１の後端面に押されて後退することで、パンチ５０及びパンチユニット４０の後退を開始させる部材である。
【００１１】
パンチユニット４０はパンチ５０の後方で且つパンチガイド２１の前方の位置に於いてパンチ軸５０ｂに一体に取り付けられた部材であり、パンチガイド２１が初期状態から図示のＡ前進するとパンチガイド２１に押されて前進を開始する部材である。なお、パンチ軸５０ｂを二つの部分に分けて構成してもよい。即ち、パンチ軸後部分の前端部に螺子を形成してパンチユニット４０の対応部位に形成した螺子孔に螺合することで該パンチ軸後部分をパンチユニット４０に一体化するように構成してもよい。その場合、パンチ軸前部分の後端はパンチユニット４０の対応部位に一体に保持されることになる。
【００１２】
本穿孔装置の動作を説明する。
図１の状態から、シリンダ１０がシリンダロッド１１の突き出しを開始する。これにより、パンチガイド２１とダイスガイド２２の前進が開始されて、ダイスガイド２２の前端面２２ａがダイスユニット３０の第１係止部３０ａを押し始める。
【００１３】
ダイスユニット３０の第１係止部３０ａを押すと、ダイスユニット３０が支軸３１を回動の軸として時計回り（図を基準とする）に回動して、ダイス３５を所定のワーク固定位置にセットする（図２参照）。この時、ダイスガイド２２の前端部上面側中央の突起２２ｂは、ダイス３５の下面に形成されている溝部（ダイス３５の幅方向両側から下垂された下垂部３０１に挟まれて構成される溝部）内に位置し、以後、該溝部内を移動する。
【００１４】
パンチガイド２１とダイスガイド２２が更に前進して図１の初期状態から同図に示した距離Ａだけ移動すると、パンチガイド２１の前端面がパンチユニット４０の後端面に達して、パンチユニット４０を押し始める（図３参照）。なお、図示の例では、ダイスユニット３０が時計回りに回動してダイス３５を所定のワーク固定位置にセットする時点（図２の時点）と、パンチガイド２１の前端面がパンチユニット４０の後端面に達して該後端面を押し始める時点（図３の時点）とが異なるが、これらが同時となるように装置を構成してもよい。
【００１５】
パンチガイド２１とダイスガイド２２が更に前進して初期状態（図１）からの移動距離が図１に示した距離Ｂに達すると、パンチガイド２１に押されるパンチユニット４０と一体で前進したパンチ５０がワーク９５を穿孔する（図４参照）。
【００１６】
パンチ５０がワーク９５を穿孔すると、シリンダロッド１１の後退が開始される。つまり、穿孔動作が行なわれた図４の時点からシリンダロッド１１の後退が開始され、これにより、パンチガイド２１とダイスガイド２２の後退が開始される。
【００１７】
パンチガイド２１が後退してその後端面がパンチ５０の後端係止部５０ａの前端面に達すると（図５参照）、パンチガイド２１がパンチ５０の後端係止部５０ａを引き戻し始める。これにより、後端係止部５０ａと軸５０ｂを介して一体に構成されているパンチ５０及びパンチユニット４０の退避が開始される。
【００１８】
パンチガイド２１とダイスガイド２２が更に後退して図６の位置に達すると、ダイスガイド２２の係止部２２ｂが、ダイスユニット３０の第２係止部３０ｂに係止して押し始める（「引き戻し始める」と表現してもよい）。これにより、ダイスユニット３０が支軸３１を回動の軸として反時計回り（図を基準とする）に回動し始めて、ダイス３５を所定のワーク固定位置（図２〜図６の位置）から離隔し始める（「リセットし始める」と表現してもよい）。
【００１９】
パンチガイド２１とダイスガイド２２が更に後退すると、ダイスガイド２２の係止部２２ｂとダイスユニット３０の第２係止部３０ｂの係止が外れて、ダイスガイド２２の前端面２２ａが、ダイスユニット３０の第１係止部３０ａの後方に抜け出て図１の初期状態に復帰する。
以後、次のワークに対して、同様に処理が繰り返される。
【図面の簡単な説明】
【００２０】
【図１】実施の形態の穿孔装置の初期状態の構成を模式的に示す説明図。
【図２】（ａ）は図１の穿孔装置に於いてダイスガイド２２がダイスユニット３０を起こした時点を模式的に示す説明図、（ｂ）は（ａ）の矢視Ｂの説明図。
【図３】図１の穿孔装置に於いてパンチガイド２１がパンチユニット４０を押し始める時点を模式的に示す説明図。
【図４】図１の穿孔装置に於いてパンチ５０がワーク９５を穿孔した状態を模式的に示す説明図。
【図５】図１の穿孔装置に於いてワーク９５を穿孔したパンチ５０及びパンチユニット４０の退避開始時点を模式的に示す説明図。
【図６】図１の穿孔装置に於いてダイスガイド２２がダイスユニット３０を倒し始める時点を模式的に示す説明図。
【符号の説明】
【００２１】
１０  シリンダ
１１  シリンダロッド
２１  パンチガイド
２２  ダイスガイド
２２ａ  ダイスガイドの前端面
２２ｂ  ダイスガイドの係止部
３０  ダイスユニット
３０ａ  ダイスユニットの第１係止部
３０ｂ  ダイスユニットの第２係止部
３１  支軸
３５  ダイス
４０  パンチユニット
５０  パンチ
５０ａ  パンチの後端係止部
５０ｂ  パンチの軸
５０ｃ  パンチの中間係止部
９１，９２  曲型
９５  ワーク
【図１】
0004808010.tif 000002
【図２】
0004808010.tif 000003
【図３】
0004808010.tif 000004
【図４】
0004808010.tif 000005
【図５】
0004808010.tif 000006
【図６】
0004808010.tif 000007